(57)【要約】【課題】保護機能が動作した際においてもその後の光ピックアップの速やかな駆動が可能な光ディスク装置を提供することにある。【解決手段】基準電圧と光ピックアップ４から出力されるフォーカス検出信号に基づいて生成される入力電圧とを比較しその比較結果を出力する比較部８００と、比較結果に基づいて入力電圧もしくは基準電圧のいずれかを選択し出力する電圧選択部７００と、電圧選択部７００から出力された電圧に基づいて光ピックアップ４を駆動する駆動電流を生成する駆動電流生成部９とを備える。【選択図】図７
2010205370.tif 000002
【特許請求の範囲】
【請求項１】
入力される信号に基づき光ピックアップ駆動電流を発生する駆動電流生成部と、
前記駆動電流が所定レベルを超える状態にあるかどうかを判定する判定部と、
前記駆動電流生成部に制御入力信号を入力するとともに前記駆動電流が所定レベルを超える状態にあることを前記判定部が判定したとき前記駆動電流生成部に所定の一定入力を入力する入力選択部と、
を備えることを特徴とする光ピックアップ駆動回路。
【請求項２】
前記判定部は前記制御入力信号を所定の基準信号と比較し、この比較結果に基づいて前記駆動電流が所定レベルを超える状態にあるかどうかを判定する比較部を有することを特徴とする請求項１に記載の光ピックアップ駆動回路。
【請求項３】
前記入力選択部に入力される前記一定入力は、前記比較部に与えられる所定の規準信号に相当することを特徴とする請求項２記載の光ピックアップ駆動回路。
【請求項４】
前記制御入力信号は、光ピックアップのフォーカス状態を示すフォーカス検出信号に基づいて与えられることを特徴とする請求項１から３のいずれかに記載のピックアップ駆動回路。
【請求項５】
前記制御入力信号は、前記フォーカス検出信号が得られないときフォーカス検出可能範囲をサーチするために光ピックアップを駆動することを特徴とする請求項４記載のピックアップ駆動回路。
【請求項６】
前記基準信号は第１基準信号と、第２基準信号と、を備えることを特徴とする請求項２から５のいずれかに記載の光ピックアップ駆動回路。
【請求項７】
前記比較部は前記第１基準信号と前記制御入力信号を比較する第１比較器と、
前記第２基準信号と前記制御入力信号を比較する第２比較器と、
を備えることを特徴とする請求項６に記載の光ピックアップ駆動回路。
【請求項８】
前記入力選択部は、前記制御入力信号と前記基準信号が入力されるスイッチと、
前記第１比較器および前記第２比較器が出力する比較結果が入力されるカウンタと、
前記カウンタの出力に基づいて、前記制御入力信号または前記基準信号のいずれかを選択する信号を生成する選択信号生成部と、
を有することを特徴とする請求項７に記載の光ピックアップ駆動回路。
【請求項９】
前記カウンタは前記第１比較器と前記第２比較器の比較結果に基づき第１期間をカウントする第１カウンタと、
前記第１比較器の比較結果に基づき第２の期間をカウントする第２カウンタと、
前記第２比較器の比較結果に基づき第３の期間をカウントする第３カウンタと、
を備えることを特徴とする請求項８に記載の光ピックアップ駆動回路。
【請求項１０】
前記第２カウンタと前記第３カウンタは同一であることを特徴とする請求項９に記載の光ピックアップ駆動回路。
【請求項１１】
請求項１乃至１０のいずれかに記載の光ピックアップ駆動回路と、
光ディスクに対して情報を読み出しまたは書き込みする光ピックアップと、
前記光ピックアップのフォーカス検出信号に基づき制御入力信号を生成する制御入力信号生成部と、
を有することを特徴とする光ディスク装置。
【発明の詳細な説明】
【技術分野】
【０００１】
本発明は、光ディスク装置に係り、特に光ピックアップを保護する技術に関する。
【背景技術】
【０００２】
光ディスク装置における光ピックアップのフォーカス位置は、光ピックアップが出力するフォーカス検出信号に基づいて、光ピックアップ駆動回路が光ピックアップ内部のアクチュエータに対してフォーカス位置を調整するための駆動電流を生成することで制御される。その過程において光ピックアップ駆動回路に入力される入力電圧の大きさによっては、生成される駆動電流が、アクチュエータの電流耐量以上になる場合がある。そしてその結果アクチュエータが破壊されてしまう。よって、アクチュエータに過度の電流が入力される場合に、保護機能が働く光ディスク装置が求められている。例えば光ピックアップ駆動回路が出力する駆動電流を検出し、電流耐量を超えた際はその駆動電流を光ピックアップのアクチュエータに供給しないようにする提案が行われている。
【先行技術文献】
【特許文献】
【０００３】
【特許文献１】特開２００８−１０８３３５号公報
【特許文献２】特開２００３−２０８７２５号公報
【発明の概要】
【発明が解決しようとする課題】
【０００４】
しかしながら、保護機能が動作した際は光ピックアップの駆動がオフされてしまうために、再度光ピックアップの駆動を開始する際は初期状態の位置から行わなければならないために復帰に時間がかかるという問題がある。
【０００５】
本発明の課題は、上記に鑑み、保護機能が動作した際においてもその後の光ピックアップの速やかな正規駆動が可能な光ディスク装置を提供することにある。
【課題を解決するための手段】
【０００６】
上記課題を達成するために、請求項１記載の本発明に係る光ピックアップ駆動回路は、入力される信号に基づき光ピックアップ駆動電流を発生する駆動電流生成部と、前記駆動電流が所定レベルを超える状態にあるかどうかを判定する判定部と、前記駆動電流生成部に制御入力信号を入力するとともに前記駆動電流が所定レベルを超える状態にあることを前記判定部が判定したとき前記駆動電流生成部に所定の一定入力を入力する入力選択部と、を備えることを特徴とする光ピックアップ駆動回路を提供する。請求項２記載のより具体的な特徴によれば、前記判定部は前記制御入力信号を所定の基準信号と比較し、この比較結果に基づいて前記駆動電流が所定レベルを超える状態にあるかどうかを判定する比較部が設けられる。請求項３記載のより具体的な特徴によれば、前記入力選択部に入力される前記一定入力は、前記比較部に与えられる所定の規準信号に相当する。請求項４のより具体的な特徴によれば、前記制御入力信号は、光ピックアップのフォーカス状態を示すフォーカス検出信号に基づいて与えられる。請求項５のより具体的な特徴によれば、前記制御入力信号は、前記フォーカス検出信号が得られないときフォーカス検出可能範囲をサーチするために光ピックアップを駆動する。以上の請求項１またはこれをより具体化した請求項２から５の発明によれば、光ピックアップ駆動電流が所定レベルを超える状態となった場合には駆動電流を所定レベルにクランプすることが可能となり、その結果光ピックアップに供給される電流を耐量以下に抑えることができるとともに、クランプ中は光ピックアップを正規駆動範囲近傍に置きくことができ、速やかに正規駆動に戻ることができる。
【０００７】
また請求項６の発明は、前記基準信号は第１基準信号と、第２基準信号と、を備えることを特徴とする請求項２から５のいずれかに記載の光ピックアップ駆動回路である。これによって、制御電圧を複数の基準電圧と比較することが可能となり、任意の複数の基準電圧にクランプすることが可能となる。
【０００８】
また請求項７の発明は、前記比較部は前記第１基準信号と前記制御入力信号を比較する第１比較器と、前記第２基準信号と前記制御入力信号を比較する第２比較器と、を備えることを特徴とする請求項６に記載の光ピックアップ駆動回路である。        
【０００９】
また請求項８の発明は、前記入力選択部は、前記制御入力信号と前記基準信号が入力されるスイッチと、前記第１比較器および前記第２比較器が出力する比較結果が入力されるカウンタと、前記カウンタの出力に基づいて、前記制御入力信号または前記基準信号のいずれかを選択する信号を生成する選択信号生成部と、を有することを特徴とする請求項７に記載の光ピックアップ駆動回路である。これによって光ピックアップが、フォーカス位置のラフサーチを行っている際に入力される入力電圧の供給時間と、異常な入力電圧の供給時間とを区別することができ、より精度の高いクランプ制御が可能となる。
【００１０】
また請求項９の発明は、前記カウンタは前記第１比較器と前記第２比較器の比較結果に基づき第１期間をカウントする第１カウンタと、前記第１比較器の比較結果に基づき第２の期間をカウントする第２カウンタと、前記第２比較器の比較結果に基づき第３の期間をカウントする第３カウンタと、を備えることを特徴とする請求項８に記載の光ピックアップ駆動回路である。
【００１１】
また請求項１０の発明は、前記第２カウンタと前記第３カウンタは同一であることを特徴とする請求項９に記載の光ピックアップ駆動回路。である。これによって回路構成の簡素化を可能とする。
【００１２】
また請求項１１の発明に係る光ディスク装置は、請求項１乃至１０のいずれかに記載の光ピックアップ駆動回路と、光ディスクに対して情報を読み出しまたは書き込みする光ピックアップと、前記光ピックアップのフォーカス検出信号に基づき制御入力信号を生成する制御入力信号生成部とを備える。これによって、入力電圧が基準電圧を越える場合には基準電圧にクランプすることが可能となる。
【発明の効果】
【００１３】
本発明によれば、光ピックアップに対する保護機能が動作し、その保護機能が解除された後の光ピックアップの速やかな正規駆動が可能となる。
【図面の簡単な説明】
【００１４】
【図１】は、光ピックアップ駆動回路の第１実施形態を示す図である。
【図２】は、フォーカス位置の制御動作を示す図である。
【図３】は、第１実施形態の比較部と電圧選択部の具体的な実施形態を示す図である。
【図４】は、第１実施形態の動作を示す図である。
【図５】は、図４とは異なる第１実施形態の動作を示す図である。
【図６】は、光ピックアップ駆動回路の第２実施形態を示す図である。
【図７】は、光ピックアップ駆動回路の第３実施形態を示す図である。
【発明を実施するための最良の形態】
【００１５】
図１は本発明の第１実施形態に係る光ディスク装置１の実施例を示すブロックである。第１実施形態の光ピックアップ駆動回路２は、正側基準電圧と負側基準電圧を生成する基準電圧生成部６と、入力電圧を正側もしくは負側基準電圧と比較する比較器ＣＰ１〜２を含む比較部８と、そして各比較結果の出力時間をカウントするカウンタ部７１と、カウント結果に基づいて入力電圧と正側基準電圧と負側基準電圧のいずれか一つを選択する信号を生成する選択信号生成部７２と、選択信号にもとづいてオンされる複数のスイッチＳＷ１〜３とからなる電圧選択部７と、選択された電圧に基づいて光ピックアップ４を駆動するための駆動電流を生成する駆動電流生成部９と、を有して成る。そして、第３実施形態の光ディスク装置１は光ピックアップ４と、光ディスク３に対する光ピックアップ４のフォーカス位置を制御するための入力電圧を生成する入力電圧生成部５と、上記光ピックアップ駆動回路２を有して成る。
【００１６】
まず動作として、光ディスク装置１における光ピックアップ駆動回路２は、まず光ディスク３に対する光ピックアップ４のフォーカス位置を制御するためのものである。そして、フォーカス位置制御は光ピックアップ４に内蔵されるアクチュエータ４１に対して、駆動電流を流すことでフォーカス位置を制御できる。また光ピックアップ４のフォーカスの検出については、光ピックアップ４に内蔵されるＬＤ（レーザダイオード）４２から光ディスク３に対して照射されるレーザ光が反射し、その反射光が受光素子４３によって検知され、検知に基づく信号がフォーカス検出部４４に入力されることで検出される。そしてフォーカス検出部４４は受光素子４３から入力された信号に基づいて、フォーカス検出信号を入力電圧生成部５に対して入力する。そして、入力電圧生成部５は光ピックアップ４が適正にフォーカスされるように、フォーカス検出信号に基づいて光ピックアップ駆動回路２に対して入力電圧を生成する。そしてその入力電圧に基づいて、光ピックアップ駆動回路２は光ピックアップ４に駆動電流を供給することで、光ピックアップ４の位置が調整される。
【００１７】
またフォーカス位置制御の動作として、まず図２に示されたようにフォーカス位置を大まかに検出するためのラフサーチを行う。ラフサーチをする際は光ディスク３に対して光ピックアップ４が移動可能領域において、大きく移動することで大まかにフォーカス位置の範囲を限定する。即ちラフサーチ中は光ピックアップ４の移動距離が多くなるため、光ピックアップ駆動回路２に対して入力される入力電圧が増大する。場合によっては基準電圧を超える範囲で供給されるが、ラフサーチ中に入力される基準電圧を超える入力電圧に基づいて生成される出力電流はわずかな期間のため、光ピックアップ４が破壊されるようなことはない。ラフサーチ後、フォーカス位置の範囲をさらに限定するためのフォーカス制御がなされ、フォーカス位置が定まれば、フォーカス位置の固定のためのフォーカスロックがされる。
【００１８】
次に第１実施形態の具体的な動作を説明する。まず比較器ＣＰ１〜２からなる比較部８には入力電圧と正側基準電圧と負側基準電圧が入力され、そのうち入力電圧と正側基準電圧は比較器ＣＰ１に入力され、また比較器ＣＰ２には入力電圧と負側基準電圧が入力されている。そして入力電圧と正側基準電圧の比較結果と、入力電圧と負側基準電圧の比較結果を比較部８からカウンタ部７１に対して出力される。出力する信号としては、入力電圧が正側基準電圧より大きい時を示す信号、入力電圧が正側基準電圧より小さい時を示す信号のうちいずれか一つと、そして入力電圧が負側基準電圧より大きい時を示す信号と、入力電圧が負側基準電圧より小さい時を示す信号のうちのいずれか一つが出力される。
【００１９】
そしてカウンタ部７１は比較部８から出力される信号に基づいてカウントを開始し、所定時間をカウント終了した際にはカウント終了の信号を選択信号生成部７２に対して出力する。なおカウントを開始するタイミングは少なくとも２種類からなる。まず第１のタイミングは、入力電圧が正側基準電圧より大きい時を示す信号が入力された場合、もしくは入力電圧が負側基準電圧より小さい時を示す信号が入力された場合である。次に第２のタイミングは、第１のタイミングでカウントされ所定時間をカウント終了した以降に、入力電圧が正側基準電圧より小さい時を示す信号および入力電圧が負側基準電圧より大きい時を示す信号が入力された場合である。
【００２０】
次に選択信号生成部７２は、上記カウンタ部７１の出力に基づいて複数のスイッチＳＷ１〜３のいずれか一つをオンするように選択信号が生成される。まず第１の条件は、上記第１のタイミングの所定時間のカウント終了の信号が入力されない場合は、入力電圧が選択されるようにスイッチＳＷ１をオンする信号が出力される。すなわち通常の動作状態となる。次に第２の条件として入力電圧が正側基準電圧より大きい時を示す信号もしくは入力電圧が負側基準電圧より小さい電圧を示す信号のうち、いずれか一つの信号に基づいて上記第１のタイミングでカウント開始され所定時間をカウント終了した場合において、正側基準電圧または負側基準電圧が選択されるように対応するスイッチＳＷ２もしくはスイッチＳＷ３がオンするように選択信号が生成される。つまり正側もしくは負側基準電圧にクランプされる。すなわち保護機能が動作している状態となる。最後に第３の条件として、上記第２のタイミングでカウントされ所定時間のカウント終了した場合は、入力電圧が選択されるようにスイッチＳＷ１をオンする信号が出力される。すなわち保護機能が動作している状態から解除され通常の動作状態となる。
【００２１】
そして、駆動電流生成部９は電圧選択部７から出力される電圧に応じて光ピックアップ４のアクチュエータ４１に出力する駆動電流を生成し、その駆動電流に応じて光ピックアップ４の位置が制御される。つまりこれらの構成によりラフサーチ時の基準電圧以上の入力電圧が供給される期間と、異常時の入力電圧が供給される期間とを区別できるため、より最適な保護機能として動作することができる。
【００２２】
ただし、基準電圧生成部６が出力する基準電圧は上記に限定されるものでなく、任意に設定することが可能である。また基準電圧は外部から供給される構成でもかまないし、ＤＳＰなどの外部回路からの制御に基づいて基準電圧生成部６で生成される基準電圧を可変制御できるような構成でも構わない。また、保護機能が動作時には基準電圧にクランプする構成としているが、クランプする電圧は基準電圧に限定されるものでなく、任意の所定電圧にクランプされるような構成でも構わない。つまりＳＷ２〜ＳＷ３に供給する電圧を適宜クランプしたい電圧を供給すればよい。
【００２３】
次に図３は本発明の第１実施形態に係わる光ディスク装置１の実施例を示すブロックにおけるカウンタ部７１と選択信号生成部７２と複数のスイッチＳＷ１〜３からなる電圧選択部７と、比較部８のより具体的な構成を示している。
【００２４】
具体的な接続関係として、まず比較部８はコンパレータＣＰ１とコンパレータＣＰ２からなり、コンパレータＣＰ１の正側（+）端子とコンパレータＣＰ２の負側（-）端子に入力電圧が入力され、コンパレータＣＰ１の負側（-）端子に正側基準電圧が入力され、コンパレータＣＰ２の正側（+）端子に負側基準電圧が入力される。そして入力電圧が正側基準電圧より大きい時にコンパレータＣＰ１はハイレベルの信号を出力する。同様にコンパレータＣＰ２は入力電圧が負側基準電圧より小さい時にハイレベルの信号を出力する。
【００２５】
そして、カウンタ部７１はコンパレータＣＰ１の出力信号が入力される第１インバータ回路ＩＮ１とコンパレータＣＰ２の出力信号が入力される第２インバータ回路ＩＮ２と、コンパレータＣＰ１〜２の出力信号が入力されるＯＲ回路ＷＡと、ＯＲ回路ＷＡの出力信号が入力される第１カウンタＣＡ１と、第１インバータ回路ＩＮ１の出力信号が入力される第２カウンタＣＡ２と、第２インバータ回路ＩＮ２の出力信号が入力される第３カウンタＣＡ３からなる。
【００２６】
次に具体的な動作説明として、まず第１カウンタＣＡ１はクランプされていない状態、つまり正側もしくは負側基準電圧が駆動電流生成部９に出力されていない状態でかつＯＲ回路ＷＡの出力信号がローレベルからハイレベルに立ち上がった時にカウントを開始する。そしてハイレベル期間が１．２ｓｅｃ連続すればカウントが終了され、カウント終了を示す信号を選択信号生成部に出力する。なお第１カウンタＣＡ１はカウント終了もしくは、カウント不能の際にカウント値はリセットされる。
【００２７】
次に第２カウンタＣＡ２は正側基準電圧にクランプされている状態、つまり正側基準電圧が駆動電流生成部９に出力されている状態でかつ第１インバータ回路ＩＮ１の出力信号がローレベルからハイレベルに立ち上がった時にカウントを開始する。そしてハイレベル期間が４μｓｅｃ連続すればカウントが終了され、カウント終了を示す信号を選択信号生成部７２に出力する。なお第２カウンタＣＡ２も第１カウンタＣＡ１と同様にカウント終了もしくは、カウント不能の際にカウント値はリセットされる。
【００２８】
次に第３カウンタＣＡ３は負側基準電圧にクランプされている状態、つまり負側基準電圧が駆動電流生成部９に出力されている状態でかつ第２インバータ回路ＩＮ２の出力信号がローレベルからハイレベルに立ち上がった時にカウントを開始する。そしてハイレベル期間が４μｓｅｃ連続すればカウントが終了され、カウント終了を示す信号を選択信号生成部に出力する。なお第３カウンタＣＡ３も同様にカウント終了もしくは、カウント不能の際にカウント値はリセットされる。
【００２９】
次に選択信号生成部７２は上記第１〜３カウンタＣＡ１〜３の出力信号に基づいてスイッチＳＷ１〜３のいずれかを選択するように信号が生成される。まず第１の条件として、クランプ状態ではなく且つ上記第１カウンタＣＡ１からカウント終了の信号が出力されていない時は、スイッチＳＷ１をオンするように信号が生成される。次に第２の条件は、第１のカウンタＣＡ１からカウント終了の信号が入力された時に、第１比較器ＣＰ１の出力がハイレベルの場合はＳＷ２をオンするように信号が生成され、第２比較器ＣＰ２の出力がハイレベルの場合はＳＷ３をオンするように信号が生成される。次に第３の条件は正側電圧にクランプされている場合において第２カウンタＣＡ２の設定された期間のカウント終了を示す信号が入力された場合は、スイッチＳＷ１をオンするように信号が生成される、つまりクランプの状態を解除される。第４の条件は負側クランプ電圧にクランプされている場合において第３カウンタＣＡ３の設定された期間のカウント終了を示す信号が入力された場合、スイッチＳＷ１をオンするように信号が生成される、つまりクランプの状態を解除される。なおこれら条件を満たさない場合は、その時点で選択されている状態を維持し続けるものとする。またこれら条件において、選択されるスイッチ以外のスイッチはオフされているものとする。
【００３０】
ただし、電圧選択部７の構成は、これに限定されるものではなく、上記条件を満たす構成であればよい。例えば第２カウンタＣＡ２および第３カウンタＣＡ３を同一として構成することも可能でも構わないし、ＯＲ回路ＷＡを省いて、各比較器ＣＰ１〜２からのそれぞれの出力に対応するように第１カウンタＣＡ１を２個用いて構成しても構わない。またカウンタ部７１の第１インバータ回路ＩＮ１等の論理回路も上記構成に限定されるものではなく上記条件を満たすように適宜変更することができる。
【００３１】
さらに図４を用いて図３が適応される第１実施形態における時間に応じて変化する入力電圧とカウンタＣＡ１〜２、比較部８の動作および駆動電流生成部９に供給される電圧の関係を示すグラフである。なお図４のグラフは横軸を時間[ｓｅｃ]とし、縦軸を入力電圧[Ｖ]とする。また実線が駆動電流生成回路９に供給される電圧となり、点線が入力電圧生成部５で生成される入力電圧を示している。まず時間ｔ０において第１カウンタＣＡ１および第２カウンタＣＡ２は初期状態の「０」となっている。そして時間ｔ１の時に、入力電圧が正側基準電圧より大きい状態になりＯＲ回路ＷＡから出力される信号がローレベルからハイレベルに遷移したときに第１カウンタＣＡ１が開始される。そして時間ｔ２の時に、第１カウンタＣＡ１が設定されている１．２ｓｅｃをカウントし終え、第１カウンタＣＡ１は選択信号生成回路７２に対してハイレベルの信号を出力する。なおカウント終了後は、カウント値はリセットされる。そして選択信号生成部７２において第１カウントＣＡ１のハイレベルの信号を検出し、且つ第１比較器ＣＰ１または第２比較器ＣＰ２の出力を参照し正側もしくは負側基準電圧を選択する。この場合は第１比較器ＣＰ１がハイレベルを出力しているため、選択信号生成部７２は正側基準電圧を選択するようにスイッチＳＷ２をオンする信号を出力する。よって駆動電流生成部９には正側基準電圧が供給される。つまりこの状態はクランプされていない状態から正側電圧にクランプされた状態となり、クランプ解除がされる条件までこの状態が維持される。なおスイッチＳＷ２をオンする信号がクランプ検知信号となる。
【００３２】
次に時間ｔ３において入力電圧が正側基準電圧を下回る。この時、第２カウントＣＡ２に信号が入力され、かつスイッチＳＷ２がオン（クランプ検知信号がハイレベル）しているクランプ状態のため第２カウンタＣＡ２がカウントを開始する。そして時間ｔ４において、入力電圧が正側基準電圧を再び上回るため、この時第２カウンタＣＡ２はカウントを終了される。この場合は設定されている４μｓｅｃをカウントし終えていないため選択信号生成回路７２に対してローレベルの信号を出力する。よってクランプ状態が維持されている。なお第１カウンタＣＡ１と同様にカウント終了後は、カウント値はリセットされる。なおスイッチをオンする信号が供給されている以外のスイッチはオフされる構成となっている。
【００３３】
図５も図４と同様に図３が適応される第１実施形態における時間に応じて変化する入力電圧とカウンタＣＡ１〜２の動作と、比較部８の動作および駆動電流生成部９に供給される電圧の関係を示すグラフである。まず時間ｔ０からｔ３までの期間に関しては図４における動作と同様のためここでは省略する。次に時間ｔ３において入力電圧が正側基準電圧を下回る。この時、第２カウントＣＡ２にハイレベルの信号が入力され、かつスイッチＳＷ２をオン（クランプ検知信号がハイレベル）しているクランプ状態のため第２カウンタＣＡ２がカウントを開始する。そして時間ｔ４において、第２カウンタＣＡ２は設定されている４μｓｅｃをカウントし終え、第２カウンタＣＡ２は選択信号生成回路７２に対してハイレベルの信号を出力する。そして選択信号生成部７２において第２カウントＣＡ２が出力するハイレベルの信号を検出し、入力電圧を選択するようにスイッチＳＷ１をオンする信号を出力する。よって駆動電圧生成部９には入力電圧が供給される。つまりこの状態は正側電圧にクランプされた状態からクランプ解除された状態となり、クランプがされる条件までこの状態が維持される。なおカウント終了後はカウントの値はリセットされる。またスイッチをオンする信号が供給されている以外のスイッチはオフされる構成となっている。
【００３４】
なお図４、図５においては正側電圧にクランプする過程およびクランプが解除される過程を記載したが、負側電圧にクランプする過程も大小関係が逆転する以外は同様に動作するため詳細な説明は省略する。なお負側電圧にクランプする条件としては選択信号生成部７２において第１カウンタＣＡ１のハイレベルの信号と、第２比較器ＣＰ２が出力するハイレベルの信号が検出されたときに、スイッチＳＷ３をオンするように選択信号が生成されて駆動電流生成部９に供給される電圧が負側電圧にクランプされる。またクランプ解除の条件は第２カウンタＣＡ２が４μｓｅｃをカウントし終えたときに、選択信号生成部はスイッチＳＷ１をオンする信号を出力することで駆動電流生成部９に供給される電圧は入力電圧となる。なおスイッチをオンする信号が供給されている以外のスイッチはオフされる構成となっている。また、クランプ時は基準電圧にクランプする構成としているが、クランプする電圧は基準電圧に限定されるものでなく、任意の所定電圧にクランプされるような構成でも構わない。つまりＳＷ２〜３に供給する電圧に適宜クランプしたい電圧を供給すればよい。
【００３５】
図６は本発明の第２実施形態に係る光ディスク装置１０の実施例を示すブロックである。これは入力電圧が複数の基準電圧を超えた際に保護機能が動作する実施形態となる。構成として第２実施形態の光ピックアップ駆動回路２０は、複数の基準電圧を生成する基準電圧生成部６０と、第１実施形態と同様に生成される入力電圧を複数の基準電圧と比較する比較器ＣＰ１〜２を含む比較部８０と、比較結果に基づいて入力電圧と基準電圧のいずれか一つを選択する電圧選択部７０と、電圧選択部７０によって選択された電圧に基づいて光ピックアップ４を駆動するための駆動電流を生成する駆動電流生成部９を有して成る。そして、第２実施例の光ディスク装置１０は光ピックアップ４と、光ディスク３に対する光ピックアップ４のフォーカス位置を制御するための入力電圧を生成する入力電圧生成部５と、上記光ピックアップ駆動回路２０を有して成る。
【００３６】
具体的には比較部８０は入力電圧と複数の基準電圧が入力され、そのうち複数の基準電圧として正側基準電圧と負側基準電圧が入力されている。より具体的には比較器ＣＰ１に入力電圧と正側基準電圧が入力され、比較器ＣＰ２には入力電圧と負側基準電圧が入力されている。そして入力電圧と正側基準電圧の比較結果と、入力電圧と負側基準電圧の比較結果を電圧選択部７０に対して出力される。つまり入力電圧が正側基準電圧より大きい時は正側基準電圧を選択されるための信号が電圧選択部７０に出力され、入力電圧が正側基準電圧より小さくかつ負側基準電圧より大きい時は入力電圧が選択されるように電圧選択部７０へ信号が出力され、入力電圧が負側基準電圧より小さい時は負側基準電圧が選択されるように電圧選択手段７０へ信号が出力される。
【００３７】
次に電圧選択部７０は、比較部８０が出力する結果に基づいて、入力電圧生成部５において生成された入力電圧と基準電圧生成部６０において生成された正側基準電圧と負側基準電圧の内、いずれかひとつが選択され駆動電圧生成部９に出力される。つまり第１実施形態と同様に入力電圧が選択されている場合は通常の制御状態であり、正側もしくは負側基準電圧が選択される場合は基準電圧にクランプされている状態となり、すなわち保護機能が動作している状態となる。
【００３８】
そして、駆動電流生成部９は電圧選択部７０から出力される電圧に応じて光ピックアップ４のアクチュエータ４１に出力する駆動電流を生成し、その駆動電流に応じて光ピックアップの位置が制御される。
【００３９】
ただし、基準電圧生成部６０が出力する基準電圧は上記に限定されるものでなく、任意に設定することが可能である。また第１実施例と同様に基準電圧は外部から供給される構成でもかまないし、ＤＳＰなどの外部回路からの制御に基づいて基準電圧生成部６０で生成される基準電圧を可変制御できるような構成でも構わない。なおクランプ状態時は基準電圧にクランプする構成としているが、クランプする電圧は基準電圧に限定されるものでなく、任意の所定電圧にクランプされるような構成でも構わない。つまり選択する電圧に適宜クランプしたい電圧を供給すればよい。
【００４０】
図７は本発明の第３実施形態に係る光ディスク装置１００の実施例を示すブロックである。これは入力電圧が一つの基準電圧を超えた際に保護機能が動作する実施形態となる。構成として、第３実施形態の光ディスク装置１００は光ピックアップ駆動回路２００を有し、この光ピックアップ駆動回路２００は、基準電圧を生成する基準電圧生成部６００と、発生された基準電圧を入力電圧と比較する比較部８００を持つ。比較部８００に入力される入力電圧は、光ディスク３に対する光ピックアップ４の位置に基づくフォーカス検出信号に基づいて発生されるものである。比較部８００の比較結果は電圧選択部７００に入力され、電圧選択部７００には入力電圧または基準電圧が入力され、比較部８００の比較結果に基づいて入力電圧または基準電圧のいずれか一つを選択する。電圧選択部７００によって選択された電圧は駆動電流生成部９に入力され、駆動電流生成部９はこの入力電圧に基づいて光ピックアップ４を駆動するための駆動電流を生成する。以上が光ピックアップ駆動回路２００の構成である。第３実施形態の光ディスク装置１００は、この他に、光ピックアップ４と、光ディスク３に対する光ピックアップ４の位置に基づき上記光ピックアップ駆動回路２００に入力する入力電圧を生成する入力電圧生成部５を有して成る。
【００４１】
上記のように、比較部８００には入力電圧と基準電圧が入力されている。そして入力電圧と基準電圧の比較結果が比較部８００から電圧選択部７００に対して出力される。つまり入力電圧が基準電圧より大きい時は基準電圧が選択されるための信号が電圧選択部７００へ出力され、入力電圧が基準電圧より小さい時は入力電圧が選択されるための信号が電圧選択部７００へ出力される。なお上記では基準電圧が正側の場合を想定して述べたが、基準電圧が負側の場合は、大小関係は逆となる。
【００４２】
次に電圧選択部７００は、比較部８００が出力する信号に基づいて、入力電圧生成部５において生成された入力電圧と基準電圧生成部６００において生成された基準電圧のいずれかひとつが選択され駆動電圧生成部９に出力される。つまり入力電圧が選択された際は通常の制御状態となる。基準電圧が選択される場合においては基準電圧にクランプされた状態となり、すなわち保護機能が動作している状態となる。
【００４３】
そして、駆動電流生成部９は電圧選択部７００から出力される電圧に応じて光ピックアップ４のアクチュエータ４１に出力する駆動電流を生成し、その駆動電流に応じて光ピックアップ４の位置が制御される。
【００４４】
なお基準電圧は基準電圧生成部６００において生成されているが、光ピックアップ駆動回路２の外部から直接供給される構成でも構わない。またＤＳＰなどの外部回路からの制御に基づいて基準電圧生成部６００で生成される基準電圧を可変制御できるような構成でも構わない。なおクランプされた状態時は基準電圧にクランプする構成としているが、クランプする電圧は基準電圧に限定されるものでなく、任意の所定電圧にクランプされるような構成でも構わない。つまり選択する電圧に適宜クランプしたい電圧を供給すればよい。
【００４５】
なお上記のそれぞれの実施形態では、光ピックアップ４から出力される信号をフォーカス検出信号とし、それをもとにフォーカス位置を制御しているが、光ピックアップ４から出力される信号をトラッキング信号とすれば、トラッキング位置の制御も同様に可能となる。
【００４６】
また、上記のそれぞれの実施形態では、光ディスク装置に搭載される駆動回路に本発明を適用した構成を例に挙げて説明を行ったが、本発明の適用対象はこれに限定されるものではなく、その他の用途に供される駆動回路にも、本発明は広く適用することが可能である。
【００４７】
また、本発明の構成は、上記実施形態のほか、発明の主旨を逸脱しない範囲で種々の変更を加えることが可能である。
【産業上の利用可能性】
【００４８】
本発明は、光ディスク再生機能を搭載した電子機器全般に有用な技術であり、例えば、パーソナルコンピュータ用の光ディスクドライブ、光ディスクプレーヤ、光ディスクレコーダ、光ディスクを用いたゲーム機、光ディスクへの記録が可能なデジタルビデオカメラなどに好適な技術である。
【符号の説明】
【００４９】
１、１０、１００  光ディスク装置
２、２０、２００  光ピックアップ駆動回路
３  光ディスク
４  光ピックアップ
４１  アクチュエータ
４２  レーザダイオード
４３  受光素子
４４  フォーカス検出部
５  入力電圧生成部
６、６０  基準電圧生成部
７、７０、７００  電圧選択部
７１  カウンタ部
７２  選択信号生成部
８、８０、８００  比較部
９  駆動電流生成部
ＳＷ１、ＳＷ２、ＳＷ３  スイッチ
ＣＰ１、ＣＰ２  比較器
ＩＮ１、ＩＮ２  インバータ回路
ＷＡ  ＯＲ回路
【図１】
2010205370.tif 000003
【図２】
2010205370.tif 000004
【図３】
2010205370.tif 000005
【図４】
2010205370.tif 000006
【図５】
2010205370.tif 000007
【図６】
2010205370.tif 000008
【図７】
2010205370.tif 000009